(57)【要約】  無線通信ネットワークにおいて送信デバイスから受信デバイスに信号を送信する方法であって、前記受信デバイスは、所定のサンプリング周波数において受信信号をサンプリングするように構成されたアナログデジタル変換器（ＡＤＣ）を備える、方法。本方法は、前記送信デバイスによって前記送信信号を生成するステップ２０であって、前記送信信号の帯域幅は、前記送信信号をサンプリングするとエイリアシング成分が前記ＡＤＣによって作成されるようなものであり、前記送信信号は、エイリアシング成分が前記送信信号の対応するサンプリングされた低周波数成分と同じ位相を有し、それによって前記送信信号の前記低周波数成分に強め合うように寄与するようなかたちで生成される、生成するステップ２０と、前記送信デバイスによって前記送信信号を前記受信デバイスに送信するステップ４０とを含む。【選択図】図３ｂ
2021522699.tif 000002
【特許請求の範囲】
【請求項１】
無線通信ネットワークにおいて送信デバイスから受信デバイスに送信信号を送信する方法であって、前記受信デバイスが、所定のサンプリング周波数において受信信号をサンプリングするように構成されたアナログデジタル変換器（ＡＤＣ）を備え、前記方法は、
前記送信デバイスによって前記送信信号を生成するステップであって、前記送信信号の帯域幅は、前記送信信号をサンプリングするとエイリアシング成分が前記ＡＤＣによって作成されるようなものであり、前記送信信号は、前記エイリアシング成分が、エイリアシングされない前記送信信号の対応するサンプリングされた低周波数成分と同じ位相を有し、それによって、前記送信信号の前記低周波数成分に強め合うように寄与するようなかたちで生成される、生成するステップと、
前記送信デバイスによって前記送信信号を前記受信デバイスに送信するステップと
を含む方法。
【請求項２】
前記無線通信ネットワークが、複数のサブキャリアを含む直交周波数分割多重（ＯＦＤＭ）を採用し、生成する前記ステップは、
前記送信信号をサンプリングすると少なくとも２つの別個のエイリアシング成分が前記ＡＤＣによって作成されるように前記送信信号を生成すること
を含む、請求項１に記載の方法。
【請求項３】
前記少なくとも２つのエイリアシング成分が、前記送信信号の少なくとも２つの別個の異なる低周波数成分とエイリアシングする、請求項２に記載の方法。
【請求項４】
前記生成された送信信号が、前記受信デバイスを起動させるために構成された起動信号である、請求項１から３のいずれか一項に記載の方法。
【請求項５】
前記送信デバイスによって、前記送信信号がその上で送信されるべきチャネルを推定するステップであって、前記チャネルが前記帯域幅について推定され、それによってチャネルパラメータを取得する、推定するステップをさらに含み、
生成する前記ステップが、
前記推定されたチャネルパラメータを考慮に入れて前記送信信号を生成することを含む、請求項１から４のいずれか一項に記載の方法。
【請求項６】
生成する前記ステップは、
前記送信信号がその上で送信されるべきチャネルのコヒーレンス帯域幅が少なくとも前記帯域幅であると仮定することによって、前記送信信号を生成すること
を含む、請求項１から４のいずれか一項に記載の方法。
【請求項７】
前記帯域幅および前記所定の周波数は、前記受信された送信信号をサンプリングすると前記ＡＤＣによって作成されるエイリアシングされた成分の数が１、３または７であるように選定される、請求項１から６のいずれか一項に記載の方法。
【請求項８】
生成する前記ステップは、
オンオフキーイング（ＯＯＫ）を使用することによって前記送信信号を生成すること
を含む、請求項１から７のいずれか一項に記載の方法。
【請求項９】
生成する前記ステップは、
２位相シフトキーイング（ＢＰＳＫ）または４位相シフトキーイング（ＱＰＳＫ）を使用することによって前記送信信号を生成すること
を含む、請求項１から７のいずれか一項に記載の方法。
【請求項１０】
無線通信ネットワークにおいて送信信号を受信デバイスに送信するために構成された送信デバイスであって、前記受信デバイスが、所定のサンプリング周波数において受信信号をサンプリングするように構成されたアナログデジタル変換器（ＡＤＣ）を備え、前記送信デバイスは、
前記送信信号を生成するために構成された信号生成手段であって、前記送信信号をサンプリングするとエイリアシング成分が前記ＡＤＣによって作成されるように、前記送信信号の帯域幅が前記所定のサンプリング周波数の１／２よりも高く、前記送信信号は、前記エイリアシング成分が前記送信信号の対応するサンプリングされた低周波数成分と同じ位相を有し、前記低周波数成分の周波数が前記所定のサンプリング周波数の２倍よりも小さく、それによって前記送信信号の前記低周波数成分に強め合うように寄与するようなかたちで、前記信号生成手段によって生成される、信号生成手段と、
前記生成された送信信号を前記受信デバイスに送信するために構成された送信手段と
をさらに備える、送信デバイス。
【請求項１１】
前記信号生成手段は、さらに、前記送信信号をサンプリングすると少なくとも２つの別個のエイリアシング成分が前記ＡＤＣによって作成されるように、前記送信信号を生成するために構成された、請求項１０に記載の送信デバイス。
【請求項１２】
前記少なくとも２つのエイリアシング成分が、前記送信信号の少なくとも２つの別個の異なる低周波数成分とエイリアシングする、請求項１１に記載の送信デバイス。
【請求項１３】
前記生成された送信信号が、前記受信デバイスを起動させるために構成された起動信号である、請求項１０から１２のいずれか一項に記載の送信デバイス。
【請求項１４】
前記送信信号がその上で送信されるべきチャネルを推定するために構成された推定手段であって、前記チャネルが前記帯域幅について推定され、それによってチャネルパラメータを取得する、推定手段、
をさらに備え、
前記信号生成手段が、さらに、前記推定されたチャネルパラメータを考慮に入れた前記送信信号を生成するために構成された、
請求項１０から１３のいずれか一項に記載の送信デバイス。
【請求項１５】
前記信号生成手段は、さらに、前記送信信号がその上で送信されるべきチャネルのコヒーレンス帯域幅が少なくとも前記帯域幅であると仮定することによって、前記送信信号を生成するために構成されている、請求項１０から１３のいずれか一項に記載の送信デバイス。
【請求項１６】
前記帯域幅および前記所定の周波数は、前記受信された送信信号をサンプリングすると前記ＡＤＣによって作成されるエイリアシングされた成分の数が１、３または７であるように選定される、請求項１０から１５のいずれか一項に記載の送信デバイス。
【請求項１７】
前記信号生成手段が、さらに、オンオフキーイング（ＯＯＫ）変調を使用することによって前記送信信号を生成するために構成された、請求項１０から１６のいずれか一項に記載の送信デバイス。
【請求項１８】
前記信号生成手段が、さらに、２位相シフトキーイング（ＢＰＳＫ）または４位相シフトキーイング（ＱＰＳＫ）変調を使用することによって前記送信信号を生成するために構成された、請求項１０から１６のいずれか一項に記載の送信デバイス。
【発明の詳細な説明】
【技術分野】
【０００１】
本開示は、一般に、電気通信の分野に関し、より詳細には、電気通信システムにおけるトランシーバのエネルギー効率を改善することに関する。本開示は、特に、起動受信機のエネルギー効率を改善するための方法、およびそれの装置に関する。
【背景技術】
【０００２】
エネルギー効率が高い送信および受信は無線通信の分野においてますます重要になりつつある。このことの主な理由は、モノのインターネット（ＩｏＴ）のための低コストデバイスの予想される大きい成長である。
【０００３】
エネルギー効率は、２つの異なることを意味することができる。一方では、エネルギー効率は送信機側に関することがあり、送信側は、ただエネルギーを節約するために、あるいは許容されることについての規制制限があり得るので、できる限り低い電力を使用して情報を送信することが可能であるべきである。他方では、エネルギー効率は、信号を受信するために必要とされるエネルギーに関することがある。一般に、受信機においてより高い複雑さおよび電力消費を可能にすることによって、より低い送信電力において信頼できる通信を達成することがしばしば可能であるという意味において、送信機における電力消費と受信機における電力消費とが交換され得る。より高い複雑さは、一般に、たとえば、畳み込みコード、低密度パリティ検査コード、またはいわゆるターボコードなど、効率的な前方誤り訂正コードが使用されることを暗示する。
【０００４】
デバイスにおいて低い電力消費を達成するための１つの手法は、１次無線機、または１次受信機と組み合わせて、起動無線機と呼ばれることもある、いわゆる起動受信機（ＷＵＲ）を使用することである。これらのＷＵＲは、無線通信において使用される受信機における電力消費を著しく低減するための手段を与える。ＷＵＲに関するアイデアは、ＷＵＲは、起動信号の存在を検出することのみが可能である必要があるが、データ受信のために使用されないので、極めて緩和されたアーキテクチャに基づき得ることである。１次受信機は、その場合、データ受信のために構成される。
【０００５】
起動信号（ＷＵＳ）、すなわちＷＵＲに送られる信号のための一般的に使用される変調は、オンオフキーイング（ＯＯＫ）である。ＯＯＫは、論理１が、信号を送信すること（ＯＮ）で表され、論理０が、信号を送信しないこと（ＯＦＦ）によって表される、バイナリ変調である。
【０００６】
現在、ＩＥＥＥ８０２．１１ｂａという名称の米国電気電子技術者協会（ＩＥＥＥ）８０２．１１タスクグループにおいて、単に電力消費を著しく低減する目的で、起動無線機がメイン８０２．１１無線機に対するコンパニオン無線機として使用されるように、物理レイヤ（ＰＨＹ）およびリンクレイヤ（ＭＡＣ）を標準化するための活動が進行している。
【０００７】
このブロックは、たとえば、８０２．１１ａ／ｇ／ｎ／ａｃをサポートするＷｉ−Ｆｉ送信機においてすでに利用可能であるので、逆高速フーリエ変換（ＩＦＦＴ）を使用することによってＷＵＳを生成することが提案されている。特に、ＯＯＫを生成するための説明される手法は、中心において１３個のサブキャリアを使用し、次いで、ＯＮを表すためにこれらに何らかの信号をポピュレートし、ＯＦＦを表すために何も送信しないことである。ＩＦＦＴは６４個の点を有し、２０ＭＨｚのサンプリングレートにおいて動作しており、ちょうど通常の直交周波数分割多重（ＯＦＤＭ）のように、８０２．１１ａ／ｇ／ｎ／ａｃにおいて使用されるＯＦＤＭシンボル持続時間を保つように、ＩＦＦＴ演算の後にサイクリックプレフィックスが付加され、したがって、ＷＵＳの開始においてレガシープリアンブルを前に付加することによってレガシー局になりすますことが可能である。このようにして、レガシー局は、ＷＵＳを検出し、無線媒体へのアクセスを正確に遅らせることが可能になる。
【０００８】
上記で説明したようなＷＵＳの設計により、極めて電力効率が高い受信機実装が可能になる。しかしながら、これを達成するために、信号の帯域幅は約４ＭＨｚに制限される。
【０００９】
ＷＵＲにおいて低い電力消費を達成するために、受信機において低いサンプリングレートを使用することが望ましく、これは、比較的小さい帯域幅をもつチャネル選択性フィルタを有することにつながる。一方、規制上の要件により、使用され得る最大送信電力は、しばしば、電力スペクトル密度（ＰＳＤ）によって制限される。すなわち、より高い総送信電力が可能にされるであろうが、信号の帯域幅が非常に小さい場合、これを使用することはできない。低減される送信電力は、ＷＵＲのレンジが低減されることを直接意味するので、これにより受信機電力消費と送信レンジとの間のトレードオフが生じる。
【発明の概要】
【００１０】
本開示による本発明の目的は、送信信号電力が高く保たれ、次いで受信機における高いパフォーマンスが可能になり、さらには受信機の低電力実装が可能になり得るように、比較的大きい帯域幅をもつ信号を送信することが可能であることである。
【００１１】
本開示の第１の態様では、無線通信ネットワークにおいて、送信デバイスから受信デバイスに信号を送信する方法が提示され、受信デバイスは、所定のサンプリング周波数において受信信号をサンプリングするように構成されたアナログデジタル変換器（ＡＤＣ）を備える。第１の態様による方法は、受信機によって受信信号をサンプリングすると、強め合うエイリアシングが起こるように、前記送信デバイスによって前記送信信号を生成するステップを含む。さらに、送信信号は、エイリアシング成分が、前記送信信号の対応するサンプリングされた低周波数成分と同じ位相を有し、それによって前記送信信号の前記低周波数成分に強め合うように寄与するようなかたちで生成される。
【００１２】
本開示の第１の態様による方法は、送信デバイスによって送信信号を受信デバイスに送信するステップをさらに含む。
【００１３】
本開示による本発明の利点は、ＡＤＣおよびデジタルブロックを低いレートにおいてクロックすることによって達成される受信機の低電力実装を可能にし、さらには、大きい帯域幅を有する送信信号の利点から恩恵を受けることである。大きい帯域幅は、ここで２つの利点を与える。第１に、より高い送信電力が使用され得ることが可能になる。第２に、信号がより良好な周波数ダイバーシティから恩恵を受けることが可能になる。
【００１４】
一実施形態によれば、無線通信ネットワークは、複数のサブキャリアを備える直交周波数分割多重（ＯＦＤＭ）を採用し、生成するステップは、前記送信信号をサンプリングすると前記ＡＤＣによって少なくとも２つの別個のエイリアシング成分が作成されるように前記送信信号を生成することを含む。
【００１５】
一実施形態では、少なくとも２つのエイリアシング成分は、前記送信信号の少なくとも２つの別個の異なる低周波数成分とエイリアシングする。これにより、受信されたエイリアシングされた信号の周波数範囲において、ある程度のダイバーシティが得られる。
【００１６】
一実施形態では、生成された送信信号は、前記受信デバイスを起動するために構成された起動信号である。本方法は、有利には、１次無線機と組み合わせて採用される起動無線機（ＷＵＲ）の場合に採用され得る。ＷＵＲのタスクは、起動信号をリッスンすること、およびそのような起動信号を受信すると１次無線機を起動することである。
【００１７】
起動信号を生成するために本開示による方法を採用することによって、ＷＵＲが確実に低い電力を消費し、しかも起動信号が、様々な領域によって課される規制上の要件を満たすようにすることが可能である。
【００１８】
本開示の第１の態様の一実施形態によれば、本方法は、前記送信デバイスによって、前記送信信号がその上で送信されるべきチャネルを推定するステップであって、前記チャネルが前記帯域幅について推定され、それによってチャネルパラメータを取得する、推定するステップをさらに含み、前記生成するステップが前記推定されたチャネルパラメータを考慮に入れた前記送信信号を生成することを含む。
【００１９】
場合によっては、チャネルがフラットでないことがある、すなわち、信号がその上で送信されるチャネルは、たとえば信号の位相を変更することによって、信号を特定の様式で変更し得ることが予見される。そのような場合、送信デバイスは、標準テスト信号を送ることによってチャネルパラメータを推定する。標準テスト信号は、周波数、振幅、位相などの、知られているパラメータの信号であり得る。次いで、受信デバイスにおいて受信された信号を調査することによってチャネルパラメータが推定され得る。チャネルパラメータが推定されると、送信されるべき信号は、信号に対するチャネルの影響がなくなるようなかたちで送信される前に変更され得る。言い換えれば、受信機は、生成されたとおり信号を受信するものである。
【００２０】
一実施形態では、生成するステップは、前記送信信号がその上で送信されるべきチャネルのコヒーレンス帯域幅が少なくとも前記帯域幅であると仮定することによって、前記送信信号を生成することを含む。コヒーレンス帯域幅は、チャネルがその上で「フラット」であると考えられ得る周波数の範囲の統計的測定値、または言い換えれば、信号の２つの周波数がその上で同等のまたは相関する振幅フェージングを受ける可能性がある近似最大帯域幅または周波数間隔である。したがって、送信されるべき信号の帯域幅が、コヒーレンス帯域幅と比較して十分に小さいことを保証することによって、チャネルがフラットのままであり、したがって予測可能であるという利点が得られる。
【００２１】
本開示の第１の態様の一実施形態では、帯域幅および所定の周波数は、前記受信された送信信号をサンプリングすると、前記ＡＤＣによって作成されるエイリアシングされた成分の数が１、３または７であるように選定される。エイリアシングされた成分の数はアンダーサンプリングファクタに対応する。アンダーサンプリングファクタは、送信された信号の帯域幅と受信機のサンプリング周波数との間の比として定義され得る。ＡＤＣによって作成されるエイリアシングされた成分の数は、アンダーサンプリングファクタに依存しており、数は、それぞれ２、４および８のアンダーサンプリングファクタに対応する。
【００２２】
本開示の第１の態様の一実施形態では、生成するステップは、オンオフキーイング（ＯＯＫ）変調を使用することによって前記送信信号を生成することを含む。
【００２３】
一実施形態によれば、生成するステップは、２位相シフトキーイング（ＢＰＳＫ）または４位相シフトキーイング（ＱＰＳＫ）を使用することによって前記送信信号を生成することを含む。
【００２４】
本発明の第２の態様では、無線通信ネットワークにおいて送信信号を受信デバイスに送信するために構成された送信デバイスが提示され、前記受信デバイスは、所定のサンプリング周波数において受信信号をサンプリングするように構成されたアナログデジタル変換器（ＡＤＣ）を備える。
【００２５】
送信デバイスは、前記送信信号を生成するために構成された信号生成手段であって、前記送信信号をサンプリングするとエイリアシング成分が前記ＡＤＣによって作成されるように、前記送信信号の帯域幅が所定のサンプリング周波数の１／２よりも高く、前記送信信号は、エイリアシング成分が前記送信信号の対応するサンプリングされた低周波数成分と同じ位相を有し、それによって前記送信信号の前記低周波数成分に強め合うように寄与するようなかたちで、前記信号生成手段によって生成される、信号生成手段をさらに備える。
【００２６】
送信デバイスは、生成された送信信号を受信デバイスに送信するために構成された送信手段をさらに備える。これによって、送信信号を送信する方法である、本開示の第１の態様に関連する用語および定義は、送信デバイスである第２の態様にも適用することに留意されたい。
【００２７】
本開示によれば、それの利点を含む、本方法の上述の実施形態に適用可能な異なる態様は、本開示によるデバイスに適用可能である態様に対応する。
【００２８】
本開示の第２の態様の一例によれば、信号生成手段は、さらに、前記送信信号をサンプリングすると少なくとも２つの別個のエイリアシング成分が前記ＡＤＣによって作成されるように前記送信信号を生成するために構成される。
【００２９】
一例では、少なくとも２つのエイリアシング成分は、エイリアシングされた成分が前記送信信号の少なくとも２つの別個の異なる低周波数成分と結合するようにエイリアシングする。
【００３０】
一実施形態によれば、生成された送信信号は、前記受信デバイスを起動するために構成された起動信号である。
【００３１】
一例では、本デバイスは、前記送信信号がその上で送信されるべきチャネルを推定するために構成された推定手段であって、前記チャネルが前記帯域幅について推定され、それによってチャネルパラメータを取得する、推定手段をさらに備え、前記信号生成手段が、さらに、前記推定されたチャネルパラメータを考慮に入れた前記送信信号を生成するために構成される。
【００３２】
本開示の第２の態様の一実施形態によれば、信号生成手段は、さらに、前記送信信号がその上で送信されるべきチャネルのコヒーレンス帯域幅が少なくとも前記帯域幅であると仮定することによって、前記送信信号を生成するために構成される。
【００３３】
一実施形態では、帯域幅および所定の周波数は、前記受信された送信信号をサンプリングすると前記ＡＤＣによって作成されるエイリアシングされた成分の数が１、３または７であるように選定される。
【００３４】
本開示の第２の態様の一実施形態では、信号生成手段は、さらに、オンオフキーイング（ＯＯＫ）変調を使用することによって前記送信信号を生成するために構成される。
【００３５】
一実施形態によれば、信号生成手段は、さらに、２位相シフトキーイング（ＢＰＳＫ）または４位相シフトキーイング（ＱＰＳＫ）変調を使用することによって前記送信信号を生成するために構成される。
【００３６】
本開示によれば、本方法は、受信機のＡＤＣがエイリアシング成分を分析し、これらのエイリアシング成分が、正しく受信され得る信号の部分に積極的な様態で寄与するようなかたちで向けられる。エイリアシング成分は、正しく復号される／され得る周波数スペクトル中に現れる。
【００３７】
このことは、エイリアシング成分は、正しく復号され得る成分と一致すること、またはエイリアシング成分が元の成分と一致しないが、それらが受信機のための少なくとも何らかの種類の有用な情報を構成することを暗示し得る。
【００３８】
さらに、エイリアシング成分はいくつかの事実により生成され得ることに留意されたい。たとえば、実ドメインにおけるサンプリングのために、サンプリングレートはナイキストレートであるべきである。ナイキスト帯域幅よりも高い帯域幅を選択することによって、エイリアシング成分が受信されたＡＤＣによって作成される。別のオプションは、受信機が、Ｉ／Ｑサンプリング、たとえば、１つはＩ成分のために、１つはＱ成分のために、毎回２つのサンプルを使用することである。当業者は、エイリアシング成分が受信機側においてどのように作成されるかというこの概念に気づいていることに留意されたい。
【００３９】
さらに、送信信号は、ベースバンド信号としておよび／または無線周波数信号、すなわちＲＦ周波数にアップミックスされたベースバンド信号として見られ得ることに留意されたい。ＲＦ周波数は、たとえば、２．４Ｇｈｚから最高６０Ｇｈｚまたはさらに高いようなギガヘルツのオーダーである。
【００４０】
本開示の上述のおよび他の特徴ならびに利点は、添付の図面を参照しながら以下の説明から最も良く理解される。図面において、同様の参照番号は、同一の部分、または同一もしくは同等の機能または動作を実行する部分を示す。
【図面の簡単な説明】
【００４１】
【図１】本開示による方法を概略的に示す図である。
【図２】本開示による、信号を受信するために構成された受信デバイスのためのアーキテクチャを概略的に示す図である。
【図３ａ】本開示による、エイリアシングの例示的な実施形態を概略的に示す図である。
【図３ｂ】本開示による、エイリアシングの例示的な実施形態を概略的に示す図である。
【図４】本開示による送信デバイスを概略的に示す図である。
【発明を実施するための形態】
【００４２】
本発明は、本発明の核心をより容易に説明するために、特定のパラメータをもつ特定のシステムに適用されるときに提示される。当業者の誰にでも明らかであるように、ここで提示されるアイデアは、潜在的にまったく異なるパラメータをもつ他のシステムに容易に採用される。
【００４３】
図１は、本開示による方法１０に含まれるステップを示す。生成する第１のステップ２０において、送信デバイスは、受信デバイスに送信されるべきである送信信号を生成する。送信信号は、信号が受信デバイスによってアンダーサンプリングされるように生成される。当業者は、サンプリング周波数、または受信デバイスによって採用されるサンプリングに気づくことが必要であり得ることを理解する。この情報は、そのようなサンプリングレートが規制上の要件の一部であり得るか、またはサンプリングレートが、無線周波数（ＲＦ）信号または周波数変調（ＦＭ）無線信号など、特定のタイプの信号のための標準であり得るという事実により、あらかじめ知られ得る。代替的に、受信デバイスは、早い時点でこの情報を送信デバイスに送っていることがある。
【００４４】
送信するステップ４０において、生成された信号が受信デバイスに送信される。方法１０は、信号がその上で送信されるべきチャネルのチャネルパラメータを推定する随意のステップ３０を含み得る。推定のこのステップ３０は、チャネルが周波数フラットでないことが知られているときに、すなわち、チャネルが、送信された信号の異なる周波数部分について異なる信号に振幅および位相変化をもたらすときに必要とされ得る。そのような場合、推定されたチャネルパラメータは、チャネルによってもたらされた周波数依存変化の影響がゼロになり得るように、生成された信号を変更するために使用される。そのような場合、送信するステップ４０において、デバイスによって送信されるのは変更された信号である。
【００４５】
考慮されるシステムが、米国電気電子技術者協会（ＩＥＥＥ）８０２．１１ワーキンググループ（ＷＧ）によって開発された規格に基づくと仮定し、使用されるチャネル帯域幅が２０ＭＨｚであると仮定する。世界の一部の地域では、使用され得る最大送信電力は、許容される最大電力スペクトル密度によって制限され、この理由で、送信された信号が２０ＭＨｚチャネルのできる限り大きい部分を占めることが望ましい。１６ＭＨｚは、使用するのに妥当な帯域幅であり、各側にガードバンドの２ＭＨｚが残ると仮定する。さらに、オンオフキーイング（ＯＯＫ）信号は、６４点逆高速フーリエ変換（ＩＦＦＴ）および０．８μｓのサイクリックプレフィックスを使用する標準８０２．１１送信機アーキテクチャを使用して生成されると仮定する。これにより総シンボル持続時間は４μｓになる。マンチェスターコーディングを用いると、ビットの総持続時間は８μｓになり、対応するデータレートは１２５ｋｂ／ｓになる。
【００４６】
受信機は様々なかたちで実装され得、送信された信号の帯域幅はアーキテクチャに異なる程度に影響を及ぼし得る。１つの可能なアーキテクチャ５０が図２に示されている。この場合、包絡線検出器５６はアナログ領域中に、すなわちＡＤＣ５７の前にある。包絡線検出器５６への入力信号は、中間周波数（ＩＦ）であり、包絡線検出器に入る前にバンドパスフィルタ（ＢＰＦ）５５によってフィルタ処理される。ＢＰＦ５５への帯域幅は、ここで、ＷＵＳの信号帯域幅に整合される。このアーキテクチャの良い性質は、ＡＤＣ５７のために使用されるサンプリングレートが、容易に１桁大きくなり得る帯域幅ではなく、信号のシンボルレート、すなわち、２５０ｋシンボル／ｓに基づいて選択され得ることである。事実上、帯域幅が変更される場合に変更されるであろう唯一の成分はＢＰＦ５５である。
【００４７】
包絡線検出器を使用する受信機について、図２に示されたものとは異なるアーキテクチャが想到できる。たとえば、いくつかのアーキテクチャにおいて、包絡線検出器５６はＡＤＣ５７の後に配置され得、それにより包絡線検出器５６がデジタル領域内にある。
【００４８】
上記の説明において注目すべきことは、情報レートが一般に帯域幅よりもはるかに小さいことである。無線通信において頻繁に、情報レートは帯域幅よりも高く、その結果、スペクトル効率は１ビット毎秒（ｂ／ｓ）毎Ｈｚを超える。上記の例では、スペクトル効率は一般に０．１ｂ／ｓ毎Ｈｚよりも小さいであろう。事実上、これは、情報レートを増加させることなく総帯域幅が著しく増加するように、まったく同じ情報が異なる周波数チャネル上で並列に送られるので見られ得る。その利得は、もちろん、総受信電力が著しく増加し得ることである。いずれの場合も、上述の並列チャネルの電力は非コヒーレントに結合される、すなわち、包絡線検出器に到達する電力は、電力スペクトル密度（ＰＳＤ）が同じままであるという条件で、信号帯域幅が２倍になるごとに２倍になる。
【００４９】
留意され得ることは、信号が、ＯＯＫを使用して変調されるので、帯域幅よりもはるかに低いレートにおいてＡＤＣ５７をクロックすることによって引き起こされるエイリアシングは、検出されるべきことが、信号が存在するか否かのみであるので、実際には問題でないことである。エイリアシングされる信号の部分は、したがって、信号がＯＮである場合はエネルギーを含んでいるが、信号がＯＦＦであるときはエネルギーを含んでない。信号対雑音比（ＳＮＲ）は一般に帯域幅全体にわたって同様であるので、また、雑音は信号と同様のかたちでエイリアシングされるので、エイリアシングはＳＮＲを変化させないであろう。ここで観測するべき重要なことは、一般に、エイリアシングされた信号の位相は、エイリアシングされない信号と無相関であることが仮定され得るので、信号と雑音の両方が非コヒーレントに追加されることである。
【００５０】
しかしながら、信号のエイリアシングは決定論的かつ予測可能であるので、信号がコヒーレントなかたちでエイリアシングされるように信号を構成することが可能である、すなわち、それらは、エイリアシングされた成分が強め合う干渉を効果的に引き起こすように、同じ位相で加算する。エイリアシングされた信号の雑音は、エイリアシングされない信号と無相関であるので、このことは、このようにして、包絡線検出器に到達する信号対雑音比を改善することができることを意味し、もちろん、この場合、そのようなエイリアシングがＡＤＣにおいて生成されるということから、デジタル領域において実装されなければならない。
【００５１】
本開示の一実施形態は、エイリアシングされたとき、高周波数成分が低い周波数と強め合うように干渉し得る性質を有する、送信信号の構成に関する。送信機と受信機との間のチャネルが帯域幅全体にわたって同じである場合、受信機においてどんなサンプリング周波数が使用されているのかが知られると、エイリアシングは完全に決定論的であるので、信号を構成することは簡単である。
【００５２】
構成は、ここで、信号のエイリアシングされた成分が、信号の低周波数成分と同じ位相を有し、したがって強め合うようにまたはコヒーレントに追加するように行われる。
【００５３】
前に示したように、いくつかの規制管轄区域では、最大許容送信電力に対する制限に加えて、信号の最大電力スペクトル密度に対する制限もあるので、信号の帯域幅が非常に小さい場合、最大許容送信電力が使用され得ずその結果、信号帯域幅が小さい場合、送信され得る総電力に対する要件がより厳しくなる。この制限を回避する１つの可能な方法は、いくつかのサブキャリアをミュートし、かついくつかの他のサブキャリアの電力をブーストしながら、その場合、送信信号の瞬時帯域幅よりも大きい、利用可能な帯域幅にわたって信号を拡散させるインターレースされたまたはくし状の周波数領域パターンを送信信号中で使用することである。そのようなパターンの例が図３ａに参照番号１００によって示されている。
【００５４】
このようにして、最大出力電力は送信機において採用され得る。本発明の一実施形態によれば、送信機は、エイリアシングの後に、２つの異なるサブキャリアが同じサブキャリアにエイリアシングされないように、コムパターン１００を利用して周波数領域信号をフォーマットする。図３ａにおいて、ドットはＯＦＤＭシステムにおけるサブキャリアの位置を示す。矢印１０１、１０２、１０３、１０４は、ミュートされていないサブキャリアを示し、破線は、サブキャリアをラベル付けするために使用される。
【００５５】
図３ａにおける信号１００が受信機において４倍にアンダーサンプリングされると仮定すると、エイリアシングされた受信信号１５０は、図３ｂに示されているように周波数領域表現を有するべきである。図３ａと比較すると、成分１５１、１５２、１５３、１５４を含む知覚された低帯域幅信号を生成するように、エイリアシングされた成分が、他の信号成分がない場所に落ちるように、サブキャリア１０１、１０２、１０３、１０４がどのように設計されているのかが明らかである。
【００５６】
以下の説明は、本発明がどのように実装され得るかを示す。ＯＮ信号は、ＯＦＤＭ送信機を使用して生成されると仮定する。連続時間、ベースバンド送信信号ｘ（ｔ）は以下の形式で表され得る。
2021522699.tif 000003
【００５７】
ここで、Ｋはサブキャリアの総数であり、Δｆはサブキャリア間隔であり、Ｓｋは周波数領域シンボルであり、ＴはＯＦＤＭシンボル持続時間（サイクリックプレフィックスなし）であり、ＴＣＰはサイクリックプレフィックス持続時間である。公称サンプリングレートはＦｓ＝Δｆ・Ｋ＝Ｋ／Ｔである。たとえば、ＱＡＭコンスタレーションから引き出される、Ｋ＝６４、Δｆ＝３１２．５ｋＨｚ、Ｔ＝３．２μｓ、Ｆｓ＝２０ＭＨｚ、およびＳｋは、８０２．１１ＯＦＤＭ送信機において使用されるパラメータに対応する。しばしば、周波数シンボルＳｋのうちのいくつかは、ガードバンドを構築するために、または信号のＤＣ成分を抑制するために、０に設定される。
【００５８】
サブキャリアＫの数は因数分解され、Ｋ＝Ｎ・Ｍの形式で書かれると仮定し、ここでＮはアンダーサンプリングファクタを表す。ファクタＮによるアンダーサンプリングによるエイリアシングの影響を見るために、サブキャリアを再インデックス付けすることが便利である。サブキャリアインデックスｋは、
ｋ＝ｐＭ＋ｑ；  ０≦ｐ≦Ｎ−１；  ０≦ｑ≦Ｍ−１
となるように、ペアｐ、ｑによって一意の形で表され得る。この表記法を使用すると、送信されたベースバンド信号ｘ（ｔ）は次のように書き直され得る。
2021522699.tif 000004
【００５９】
周波数Δｆ・ｋにおいてサンプリングされた周波数応答に対応する、インパルス応答ｈ（ｔ）および対応する離散周波数応答タップＨｋをもつチャネルを通る伝搬の後、加法性雑音ｗ（ｔ）によって摂動させられた受信信号は以下の形式で表され得る。
2021522699.tif 000005
【００６０】
公称サンプリングレートＦｓにおいてサンプリングされた、受信デジタル信号ｙｄ（ｎ）は、
2021522699.tif 000006
である。
【００６１】
ｙ（ｔ）についての式において、ｔをｎ．１／Ｆｓに置き換え、簡略化すると、
2021522699.tif 000007
であることがわかる。
【００６２】
Ｎ倍のアンダーサンプリングによるエイリアシングの影響は、アンダーサンプリングされたデジタル信号ｙｕ（ｎ）についての式
2021522699.tif 000008
を見ることによって理解され得る。
【００６３】
式ｙｕ（ｎ）は、図２におけるＡＤＣ５７の出力に対応する。言い換えれば、ｙｕ（ｎ）は、ＡＤＣ５７が、公称サンプリング周波数Ｆｓよりも遅いレートにおいて動作し、アンダーサンプリングファクタがＮであるときの、ＡＤＣ５７の出力についての式である。それは、受信デジタル信号ｙｄについての式において、ｎをｎ＊Ｎに置き換えることによって評価され得る。
2021522699.tif 000009
ｅｘｐ（ｊ２πｐ・ｐ・ｎ）＝１
であるので、
その場合、
2021522699.tif 000010
となる。
項中の加数は、
2021522699.tif 000011
複素数値であるので、弱め合う干渉が起こり得る、すなわち、和は小さい、またはさらには０の振幅を有することができることに留意されたい。
【００６４】
本発明の一実施形態では、周波数領域シンボルＳｋは以下のように選定される。最初に、Ｍ個の任意の周波数領域シンボルＡｑ、０≦ｑ≦Ｍ−１が選定される。これらは、ＢＰＳＫ、ＱＰＳＫ、ＱＡＭシンボルであり得る。チャネル係数ＨｐＭ＋ｑが送信機において知られている場合、周波数領域シンボルＳｋは送信機において
2021522699.tif 000012
のように設定される。
【００６５】
ファクタＰ０は、出力電力を制御するために使用される任意の正の定数である。たとえば、ファクタＰ０は、平均送信電力を正規化するために使用され得る。
【００６６】
この選定を用いると、ＡＤＣ５７の出力は
2021522699.tif 000013
のように書かれ得る。
【００６７】
便宜のために、
2021522699.tif 000014
と書くことができる。
したがって、
2021522699.tif 000015
となる。
【００６８】
項Ｒｑは実数であり、正である。このようにして、弱め合う干渉が回避される。受信機におけるエイリアシングによる弱め合う干渉を回避する送信周波数領域シンボルには、他の選定がある。たとえば、５．２において説明したように、選定
2021522699.tif 000016
（ここでａｒｇ（ｘ）は複素数ｘの引数を示す）も、ＡＤＣの出力における弱め合う干渉をなくす。計算は、上記のものとほとんど同じである。
【００６９】
チャネルがフラットである特殊なケースについて考える。これは、ある複素定数ＣについてＨｋ＝Ｃとなるように、チャネル周波数応答が一定であることを意味する。この場合、周波数領域送信シンボルは、０≦ｐ≦Ｎ−１、０≦ｑ≦Ｍ−１の場合、単に
2021522699.tif 000017
である。ＡＤＣの出力は、
2021522699.tif 000018
である。
【００７０】
対照的に、周波数領域シンボルが任意であった場合、ＡＤＣの出力は、
2021522699.tif 000019
となる。
【００７１】
すべての周波数領域シンボルＳｐＭ＋ｑおよびＡｑが単位電力を有すると仮定すると、
2021522699.tif 000020
であるので、本発明は、アンダーサンプリングされた受信信号において、信号対雑音比（ＳＮＲ）のＮ倍の増加を与えることが観測され得る。
【００７２】
最後に、チャネルが送信機において知られていない場合、弱め合う干渉が回避されるようなかたちで、送信された周波数領域シンボルが依然として選定され得る。本方法は以下のように可視化され得る。以下に示すように、表において周波数領域シンボルを構成する。行はｑの一定の値に対応し、列はｐの一定の値に対応する。
2021522699.tif 000021
【００７３】
行番号ｑにおける項は、弱め合う干渉を引き起こし得る項を含んでいる、和
2021522699.tif 000022
の中に含まれるすべての周波数領域シンボルを含んでいる。アイデアは、各行からただ１つの周波数領域シンボルを選定し、他の周波数領域シンボルを０に設定することである。このようにして、各和
2021522699.tif 000023
は、ただ１つの非ゼロ項を含んでおり、弱め合う干渉がない。これはいくつかの方法で実現され得る。たとえば、数列ｃ（ｑ）、０≦ｑ≦Ｍ−１を定義し、各数ｃ（ｑ）は、０とＮ−１との間のランダムに選定される整数である。すなわち、０≦ｃ（ｑ）≦Ｎ−１であり、また、Ｍ個の任意の周波数領域シンボルＡｑ、０≦ｑ≦Ｍ−１を選定する。これらは、ＢＰＳＫ、ＱＰＳＫ、ＱＡＭシンボルであり得る。
2021522699.tif 000024
を定義する。
【００７４】
各非ゼロシンボルＳｐＭ＋ｑについて、Ｎ−１個のゼロ化されたシンボルがあるので、信号電力を一定に保つために、ファクタＮが追加される。送信される周波数領域シンボルのこの選定により、弱め合う干渉がなくなる。
2021522699.tif 000025
【００７５】
したがって、ＡＤＣの出力は、
2021522699.tif 000026
となる。
【００７６】
前述のように、項
2021522699.tif 000027
に起因する弱め合う干渉は回避され、平均ＳＮＲがＮ倍増加することがわかる。
【００７７】
図４は、本開示による送信デバイス２００を示す。デバイス２００は、通信ネットワーク中の他のデバイスからの信号を受信するように構成された受信機２０１、２０２を備える。デバイス２００はまた、通信ネットワーク中の他のデバイスに信号を送信するように構成された送信手段２０３、２０４を備える。受信機２０１、２０２および送信機２０３、２０４は、単に説明の目的のために別個に示されていることが当業者によって理解され得る。結合された機能は、たとえば、トランシーバによって達成され得る。
【００７８】
送信デバイス２００は、信号が、送信信号のエイリアシングされた成分を生成する受信デバイスによってアンダーサンプリングされるように、本開示による、信号を生成するように構成された信号生成器２０８をさらに備える。デバイス２００はまた、生成される信号がその上で受信デバイスに送信されるチャネル（図示せず）のパラメータを推定するように構成された推定機器２０９を随意に備え得る。
【００７９】
送信デバイス２００は、プロセッサ２０５とメモリ２０６とをさらに備える。メモリは、プロセッサ２０５によって実行されたとき、デバイス２００に本開示による方法を実行させるコンピュータプログラム製品を記憶するように構成され得る。内部構成要素は、内部バス２０７を使用して互いに通信する。
【００８０】
開示された例の他の変形体は、図面および開示、ならびに添付の特許請求の範囲の研究から、クレームされた開示を実施する際に当業者によって理解され、実施され得る。特許請求の範囲において、「備える」という単語は他の要素またはステップを除外せず、不定冠詞「ａ」または「ａｎ」は複数を除外しない。単一のプロセッサまたは他のユニットは、特許請求の範囲に記載されたいくつかの項目の機能を実現し得る。いくつかの手段が、相互に異なる従属クレームに記載されているという単なる事実は、これらの手段の組合せが有利に使用され得ないことを示さない。コンピュータプログラムは、他のハードウェアと一緒にまたは他のハードウェアの一部として供給される光記憶媒体または固体媒体など、好適な媒体上に記憶／分配され得るが、インターネットまたは他の有線もしくは無線電気通信システムを介してなど、他の形態で分配され得る。特許請求の範囲におけるいかなる参照符号も、その範囲を限定するものとして解釈されるべきでない。
【００８１】
本開示は、上記で開示された例に限定されず、発明的技能を適用する必要なしに、添付の特許請求の範囲において開示された本開示の範囲を越えて当業者によって変更され、改善され得る。
【図１】
2021522699.tif 000028
【図２】
2021522699.tif 000029
【図３ａ】
2021522699.tif 000030
【図３ｂ】
2021522699.tif 000031
【図４】
2021522699.tif 000032
【国際調査報告】
2021522699.tif 000033
2021522699.tif 000034
2021522699.tif 000035